(57)【要約】【課題】うす暗い室内であっても内釜に水がどのくらい入っているのかがわかり、高齢者でも簡単に炊飯作業ができる炊飯器を提供することを目的とする。【解決手段】米と水を入れる内釜１の内側側面４の縦方向に、凹部を設けて水位表示部２を形成したものである。これによって、凹部を設けて形成した水位表示部２において、水の入っている境界面が屈折の違いによって鮮明になり、うす暗い室内であっても現在水位がどこにあるかがはっきりとわかり、高齢者でも簡単に炊飯作業ができる。【選択図】図１
2007029211.tif 000002
【特許請求の範囲】
【請求項１】
米と水を入れる内釜の内側側面の縦方向に、凹部、凸部または凹凸部を設けて水位表示部を形成した炊飯器。
【請求項２】
水位表示部とその周辺部とは異なる色とした請求項１に記載の炊飯器。
【請求項３】
水位表示部とは別に水位線目盛りを設け、この水位線目盛りの目盛り線を、水位表示部と直交するように描画した請求項１または２に記載の炊飯器。
【請求項４】
水位表示部は、内釜の内側側面の縦方向に複数設けた請求項１〜３のいずれか１項に記載の炊飯器。
【発明の詳細な説明】
【技術分野】
【０００１】
本発明は、内釜の水位を見やすくした炊飯器に関するものである。
【背景技術】
【０００２】
従来、炊飯器は、内釜の水位を見やすくするために、内釜に水位線を直接刻印したり、インクにより目盛りを印刷したりするものがあった（例えば、特許文献１参照）。
【特許文献１】特開平２−３６８１５号公報
【発明の開示】
【発明が解決しようとする課題】
【０００３】
しかしながら、前記従来の構成では、うす暗い室内では、水位線や目盛りに合わせて水を加える場合、どこまで水が入っているのかが見づらいものであった。特に、高齢者の場合には視力も衰えているために、大変な作業となっていた。
【０００４】
本発明は、前記従来の課題を解決するもので、うす暗い室内であっても内釜に水がどのくらい入っているのかがわかり、高齢者でも簡単に炊飯作業ができる炊飯器を提供することを目的とする。
【課題を解決するための手段】
【０００５】
前記従来の課題を解決するために、本発明の炊飯器は、米と水を入れる内釜の内側側面の縦方向に、凹部、凸部または凹凸部を設けて水位表示部を形成したものである。
【０００６】
これによって、凹部、凸部または凹凸部を設けて形成した水位表示部において、水の入っている境界面が屈折の違いによって鮮明になり、うす暗い室内であっても現在水位がどこにあるかがはっきりとわかり、高齢者でも簡単に炊飯作業ができる。
【発明の効果】
【０００７】
本発明の炊飯器は、うす暗い室内であっても内釜に水がどのくらい入っているのかがわかり、高齢者でも簡単に炊飯作業ができる。
【発明を実施するための最良の形態】
【０００８】
第１の発明は、米と水を入れる内釜の内側側面の縦方向に、凹部、凸部または凹凸部を設けて水位表示部を形成した炊飯器とすることにより、凹部、凸部または凹凸部を設けて形成した水位表示部において、水の入っている境界面が屈折の違いによって鮮明になり、うす暗い室内であっても現在水位がどこにあるかがはっきりとわかるようになる。よって、何度も水位を確認することなく、高齢者でも簡単に炊飯作業ができる。
【０００９】
第２の発明は、特に、第１の発明において、水位表示部とその周辺部とは異なる色としたことにより、水と空気の境界面がより鮮明に現れるために、炊飯に最適な水量に容易に合わすことができる。
【００１０】
第３の発明は、特に、第１または第２の発明において、水位表示部とは別に水位線目盛りを設け、この水位線目盛りの目盛り線を、水位表示部と直交するように描画したことにより、水位が水位線目盛りと合わせやすくなり、水量を間違えることを少なくできる。
【００１１】
第４の発明は、特に、第１〜第３のいずれか１つの発明において、水位表示部は、内釜の内側側面の縦方向に複数設けたことにより、内釜のどの方向から見ても水位を合わせやすくすることができるものである。
【００１２】
以下、本発明の実施の形態について、図面を参照しながら説明する。なお、この実施の形態によって本発明が限定されるものではない。
【００１３】
（実施の形態１）
図１、図２は、本発明の実施の形態１における炊飯器の内釜と水位表示部を示している。
【００１４】
図１に示すように、本実施の形態における炊飯器は、米と水を入れる内釜１の内側側面４の縦方向に、内釜１の上方開放部から底部にかけて、凹部を設けて水位表示部２を形成している。本実施の形態では、水位表示部２を凹部により形成したが、凸部であってもよく、また凹凸部により形成してもよい。また、内釜１の内側側面４には、白米、お粥などの水位線目盛り３が水位表示部２と平行して設けられている。図２は、実際に炊飯時に水６が加わったときの水位面５の様子を示している。
【００１５】
以上のように構成された炊飯器において、以下のようにその作用を説明する。
【００１６】
炊飯時に、内釜１に米と水６を入れた場合、加えられた量に従い水位表示部２と水位線目盛り３のところに水位面５が示される。このとき、凹部、凸部または凹凸部で形成された水位表示部２では他の部分とは違った水の屈折が発生する。つまり、他の平面な内釜１の内側側面４と比べて、水位表示部２のところの水位面５はコントラスト（陰影）が強調されて見えるので、水位面５が明瞭になり水がどこまで入っているのかが鮮明にわかるものである。
【００１７】
このように、凹部、凸部または凹凸部を設けて形成した水位表示部２により、水の入っている境界面が屈折の違いによって鮮明になり、うす暗い室内であっても現在水位がどこにあるかがはっきりとわかるようになる。よって、何度も水位を確認することなく、高齢者でも簡単に炊飯作業ができる。
【００１８】
（実施の形態２）
図３は、本発明の実施の形態２における炊飯器の水位表示部を示している。実施の形態１と同一要素については同一符号を付してその説明を省略する。
【００１９】
図に示すように、本実施の形態では、水位表示部２とその周辺部７とは異なる色としている。ここでは、水位表示部２の周辺部７を水位表示部２と彩色の異なる色としている。彩色の異なる箇所は、周辺部７のみの部分的であっても、また内釜１の内側側面４全体であってもよい。
【００２０】
以上のように構成された炊飯器においては、炊飯時に、内釜１に米と水６を入れた場合、加えられた量に従い水位表示部２と水位線目盛り３のところに水位面５が示される。このとき、凹部、凸部または凹凸部で形成された水位表示部２では他の部分とは違った水の屈折が発生する。つまり、他の平面な内釜１の内側側面４と比べて、水位表示部２のところの水位面５はコントラスト（陰影）が強調されて見え、更に、水位表示部２とその周辺部７とが異なる色となっていることによって、水位面５がより一層明瞭になり、水がどこまで入っているのかが鮮明にわかるものである。
【００２１】
このように、水位表示部２とその周辺部７とは異なる色としていることにより、水と空気の境界面がより一層鮮明に現れるために、炊飯に最適な水量に容易に合わすことができる。
【００２２】
（実施の形態３）
図４は、本発明の実施の形態３における炊飯器の水位表示部を示している。実施の形態１と同一要素については同一符号を付してその説明を省略する。
【００２３】
図に示すように、本実施の形態では、水位表示部２とは別に設けた水位線目盛り３の目盛り線３ａを、水位表示部２と直交して横切るように描画したものである。
【００２４】
以上のように構成された炊飯器においては、炊飯時に、内釜１に米と水６を入れた場合、加えられた量に従い水位表示部２と水位線目盛り３のところに水位面５が示される。このとき、凹部、凸部または凹凸部で形成された水位表示部２では他の部分とは違った水の屈折が発生する。つまり、他の平面な内釜１の内側側面４と比べて、水位表示部２のところの水位面５はコントラスト（陰影）が強調されて見え、このときに、水位表示部２を横切るように目盛り線３ａが配置されることによって、水位面５を合致させるようにして水の量を入れることができる。
【００２５】
このように、水位表示部２と直交して目盛り線３ａを設けることにより、水位面５を水位線目盛り３と合わせやすくなり、水量を間違えることを少なくできる。
【００２６】
（実施の形態４）
図５は、本発明の実施の形態４における炊飯器の内釜を示している。実施の形態１と同一要素については同一符号を付してその説明を省略する。
【００２７】
図に示すように、本実施の形態では、水位表示部２は、内釜１の内側側面４の縦方向に複数設けたものである。ここでは、水位表示部２を３カ所に設けている。水位表示部２の構成は、実施の形態１〜３に示したいずれの構成であってもよい。
【００２８】
このように、水位表示部２を複数設けたことにより、内釜１のどの方向から見ても水位を合わせやすくすることができるものである。
【産業上の利用可能性】
【００２９】
以上のように、本発明にかかる炊飯器は、うす暗い室内であっても内釜に水がどのくらい入っているのかがわかり、高齢者でも簡単に炊飯作業ができるので、一般家庭だけでなく業務用の炊飯器にも幅広く使用できるものである。
【図面の簡単な説明】
【００３０】
【図１】本発明の実施の形態１における炊飯器の内釜の外観を示す斜視図
【図２】同炊飯器の水位表示部を示す拡大図
【図３】本発明の実施の形態２における炊飯器の水位表示部を示す拡大図
【図４】本発明の実施の形態３における炊飯器の水位表示部を示す拡大図
【図５】本発明の実施の形態４における炊飯器の内釜を示す斜視図
【符号の説明】
【００３１】
１  内釜
２  水位表示部
３  水位線目盛り
３ａ  目盛り線
４  内釜の内側側面
５  水位面
６  水
７  水位表示部の周辺部
【図１】
2007029211.tif 000003
【図２】
2007029211.tif 000004
【図３】
2007029211.tif 000005
【図４】
2007029211.tif 000006
【図５】
2007029211.tif 000007